(57)【要約】【課題】植物栽培装置に対する通気を確保した状態で、高い外観性をもってかかる植物栽培装置を収納可能とする収納家具を提供する。【解決手段】家具内に前記植物栽培装置ｐの載置棚部１を有すると共に、家具正面を構成する前板３の下端３ａと、家具底部を構成する底板４の前縁との間に、通気隙間８が形成されるようにしてなる。家具内における前記植物栽培装置ｐの前記吸気部ｐｂが位置される側には家具構成材に吸気貫通穴９が備えられると共に、家具内における前記植物栽培装置ｐの前記排気部ｐｃが位置される側には家具構成材に排気貫通穴１０が備えられている。前記通気隙間８と前記吸気貫通穴９と前記吸気部ｐｂとを通じて前記植物栽培装置ｐ内に外気が引き込まれるようにすると共に、前記植物栽培装置ｐ内の空気が前記排気部ｐｃと前記排気貫通穴１０と前記通気隙間８とを通じて家具外に送り出されるようにするファン手段を備えてなる。【選択図】図３
2016042828.tif 000002
【特許請求の範囲】
【請求項１】
植物栽培装置であって内部を植物の栽培空間とすると共に少なくとも前記栽培空間に対する吸気部及び排気部を備えてなる植物栽培装置の収納家具であって、
家具内に前記植物栽培装置の載置棚部を有すると共に、
家具正面を構成する前板の下端と、家具底部を構成する底板の前縁との間に、通気隙間が形成されるようにしてなり、
家具内における前記植物栽培装置の前記吸気部が位置される側には家具構成材に吸気貫通穴が備えられると共に、
家具内における前記植物栽培装置の前記排気部が位置される側には家具構成材に排気貫通穴が備えられており、
前記通気隙間と前記吸気貫通穴と前記吸気部とを通じて前記植物栽培装置内に外気が引き込まれるようにすると共に、前記植物栽培装置内の空気が前記排気部と前記排気貫通穴と前記通気隙間とを通じて家具外に送り出されるようにしてなる、収納家具。
【請求項２】
前記通気隙間と前記吸気貫通穴と前記吸気部とを通じて前記植物栽培装置内に外気が引き込まれるようにすると共に、前記植物栽培装置内の空気が前記排気部と前記排気貫通穴と前記通気隙間とを通じて家具外に送り出されるようにするファン手段を備えてなる、請求項１の収納家具。
【請求項３】
前記ファン手段を構成するファンを、家具内における前記植物栽培装置の前記排気部が位置される側に備えさせてなる、請求項２に記載の収納家具。
【請求項４】
前記吸気貫通穴を通過する空気を濾過するエアフィルターを前記吸気貫通穴に内蔵させてなる、請求項１〜請求項３のいずれか１項に記載の収納家具。
【発明の詳細な説明】
【技術分野】
【０００１】
この発明は、植物栽培装置に対する通気を確保した状態で、高い外観性をもってかかる植物栽培装置を収納可能とする収納家具に関する。
【背景技術】
【０００２】
水耕栽培器の収納構造として特許文献１に示されるものがある。この特許文献１のものは、水耕栽培器を室内に設置可能とするものであるが、収納構造は水耕栽培装置（すなわち、植物栽培装置）の外郭を構成するものとなっている。すなわち、特許文献１のものでは、収納構造は、植物栽培装置の一部となっている。
【０００３】
植物栽培装置を室内に設置する構造に関するものとして、特許文献２及び３に示されるものがあるが、これらは居室に隣接するように作られた建物の収納区画に植物栽培装置を収納しているに過ぎない。
【先行技術文献】
【特許文献】
【０００４】
【特許文献１】特開２０１３−１６２７４９号公報
【特許文献２】特開２０１３−１９２５５０号公報（図１０参照）
【特許文献３】特開２０１３−１９２５５１号公報（図１、図４参照）
【発明の概要】
【発明が解決しようとする課題】
【０００５】
この発明が解決しようとする主たる問題点は、植物栽培装置に対する通気を確保した状態で、高い外観性をもってかかる植物栽培装置を収納可能とする収納家具を提供する点にある。
【課題を解決するための手段】
【０００６】
前記課題を達成するために、この発明にあっては、収納家具を、植物栽培装置であって内部を植物の栽培空間とすると共に少なくとも前記栽培空間に対する吸気部及び排気部を備えてなる植物栽培装置の収納家具であって、
家具内に前記植物栽培装置の載置棚部を有すると共に、
家具正面を構成する前板の下端と、家具底部を構成する底板の前縁との間に、通気隙間が形成されるようにしてなり、
家具内における前記植物栽培装置の前記吸気部が位置される側には家具構成材に吸気貫通穴が備えられると共に、
家具内における前記植物栽培装置の前記排気部が位置される側には家具構成材に排気貫通穴が備えられており、
さらに、前記通気隙間と前記吸気貫通穴と前記吸気部とを通じて前記植物栽培装置内に外気が引き込まれるようにすると共に、前記植物栽培装置内の空気が前記排気部と前記排気貫通穴と前記通気隙間とを通じて家具外に送り出されるようにしてなる、ものとした。
【０００７】
かかる収納家具によれば、前記植物栽培装置をリビングなどに室内の美観を損なうことなく、適切に設置させることが可能となる。また、収納家具内には、前記ポンプユニットなど植物栽培に必要な機器、道具などを一緒に収納可能である。また、前記通気隙間は、収納家具の家具底部に確保されることから、家具天部上に他の家具や什器などを支障なく設置可能である。
【０００８】
前記収納家具に、前記通気隙間と前記吸気貫通穴と前記吸気部とを通じて前記植物栽培装置内に外気が引き込まれるようにすると共に、前記植物栽培装置内の空気が前記排気部と前記排気貫通穴と前記通気隙間とを通じて家具外に送り出されるようにするファン手段を備えさせておくこともある。
【０００９】
また、このようにした場合、前記ファン手段を構成するファンを、家具内における前記植物栽培装置の前記排気部が位置される側に備えさせておくことが、この発明の好ましい態様の一つとされる。
【００１０】
前記吸気貫通穴を通過する空気を濾過するエアフィルターを前記吸気貫通穴に内蔵させておくこともある。このようにした場合、家具外の塵芥ないし塵埃が植物育成装置内に入り込まないようにすることができる。
【発明の効果】
【００１１】
この発明によれば、既存の植物栽培装置を、この植物栽培装置に対する通気を確保した状態で、高い外観性をもってかかる植物栽培装置を収納することができ、かかる植物栽培装置をリビングなどに室内の美観を損なうことなく、適切に設置させることが可能となる。
【図面の簡単な説明】
【００１２】
【図１】図１は、この発明の一実施の形態にかかる収納家具の正面図である。
【図２】図２は、前記収納家具の家具正面を構成する前板の記載を省略して当該収納家具を示した正面構成図である。
【図３】図３は、図１におけるＡ−Ａ線断面図であり、収納家具の中央部の上側を塞ぐ植物栽培装置の扉板が跳ね上げ位置にある状態を、想像線により合わせて表している。
【図４】図４は、図１におけるＢ−Ｂ線断面図である。
【図５】図５は、図１におけるＣ−Ｃ線断面図である。
【図６】図６は、図１におけるＤ−Ｄ線断面図である。
【図７】図７は、図１におけるＥ−Ｅ線断面図である。
【発明を実施するための形態】
【００１３】
以下、図１〜図７に基づいて、この発明の典型的な実施の形態について、説明する。この実施の形態にかかる収納家具Ｆは、植物栽培装置ｐに対する通気を確保した状態で、高い外観性をもってかかる植物栽培装置ｐを収納可能とするものである。
【００１４】
前記植物栽培装置ｐは、内部を植物の栽培空間ｐａとすると共に少なくとも前記栽培空間ｐａに対する吸気部ｐｂ及び排気部ｐｃを備えてなるものである。典型的には、かかる植物栽培装置ｐは、内部を栽培空間ｐａとした箱状を呈し、栽培空間ｐａ内には植物の育成培地（水耕栽培の場合は固形とは限らない。）が設けられる。栽培空間ｐａ内には、必要に応じて、照明となる光源など植物の育成に必要とされる機器ないし部材が備えられる。
【００１５】
図示の例では、植物栽培装置ｐは、水耕栽培用のものとなっている。図示の例では、植物栽培装置ｐは、背面ｐｅ、天面ｐｆ、底面ｐｇ、及び左右側面ｐｈ、ｐｉとを備え、正面は開放部ｐｄとなっている。
【００１６】
前記開放部ｐｄは、扉板ｐｊによって閉塞されるようになっている。図中符号ｐｍは、前記扉板ｐｊの支持金物であり、この支持金物ｐｍを介して扉板ｐｊは前記左右側面ｐｈ、ｐｉに支持され、前記開放部ｐｄを閉塞した閉じ位置から上側に跳ね上げられて前記開放部ｐｄを開放するようになっている。また、前記扉板ｐｊには、左右方向に長い長方形の輪郭を持つと共に透明なシールドで塞がれた窓穴ｐｋが形成されている。この扉板ｐｊの窓穴ｐｋを通じて前記栽培空間ｐａを外部から視認できるようになっている。
【００１７】
植物栽培装置ｐの背面ｐｅ、天面ｐｆ及び底面ｐｇは、左右方向に長い長方形状となっている。図示の例では、前記左側面ｐｈに前記吸気部ｐｂが備えられ、前記右側面ｐｉに前記排気部ｐｃが備えられている。また、図示の例では、植物栽培装置ｐには、図１中符号Ｕで示すポンプユニットにより前記育成培地に対する水や液肥の供給がなされるようになっている。
【００１８】
この実施の形態にかかる収納家具Ｆは、家具内に前記植物栽培装置ｐの載置棚部１を有する。それと共に、家具正面を構成する前板３の下端３ａと、家具底部を構成する底板４の前縁との間に、通気隙間８が形成されるようにしている。また、家具内における前記植物栽培装置ｐの前記吸気部ｐｂが位置される側には家具構成材に吸気貫通穴９が備えられると共に、家具内における前記植物栽培装置ｐの前記排気部ｐｃが位置される側には家具構成材に排気貫通穴１０が備えられている。また、かかる収納家具Ｆは、前記通気隙間８と前記吸気貫通穴９と前記吸気部ｐｂとを通じて前記植物栽培装置ｐ内に外気が引き込まれるようにすると共に、前記植物栽培装置ｐ内の空気が前記排気部ｐｃと前記排気貫通穴１０と前記通気隙間８とを通じて家具外に送り出されるようにするファン手段を備えてなる。
【００１９】
図示の例では、収納家具Ｆは、左右方向に長い箱状を呈している。収納家具Ｆは、天板２、底板４、左右側板５、６を有している。
【００２０】
家具内は、おおむね、中央部１２と、仮想の左側垂直面ｘ１と収納家具Ｆの左側板５との間となる左部１３と、仮想の右側垂直面ｘ２と右側板６との間となる右部１４との三つに区分されている。前記左側板５と左側垂直面ｘ１との距離は、前記右側板６と右側垂直面ｘ２との距離と等しくなっている。また、前記左側垂直面ｘ１と前記右側垂直面ｘ２との間の距離は、前記植物栽培装置ｐの左右方向の寸法と実質的に等しくなっている。
【００２１】
また、前記左部１３および右部１４はそれぞれ、収納家具Ｆの高さ方向略中程を通る仮想の第一水平面ｙ１よりもやや上方に位置する仮想の第二水平面ｙ２に沿うように配される棚板１３ａ、１４ａにより上下に区分されている。
【００２２】
また、前記中央部１２は、前記仮想の第一水平面ｙ１よりも下方に位置される仮想の第三水平面ｙ３に沿うように配される棚板１２ａにより上下に区分されている。
【００２３】
また、前記左部１３における前記棚板１３ａ上の空間は、前記左側垂直面ｘ１よりも左側に位置される縦向きの仕切り板１３ｂにより、前記中央部１２の棚板１２ａ上の空間に連続した第一空間１３ｃと、前記中央部１２と区分された第二空間１３ｄとに分けられている。
【００２４】
また、前記右部１４における前記棚板１４ａ上の空間は、前記右側垂直面ｘ２よりも右側に位置される縦向きの仕切り板１４ｂにより、前記中央部１２の棚板１２ａ上の空間に連続した第一空間１４ｃと、前記中央部１２と区分された第二空間１４ｄとに分けられている。
【００２５】
前記天板２と前記中央部１２における棚板１２ａとの間の距離は、前記植物栽培装置ｐの上下方向の寸法と実質的に等しくなっている。
【００２６】
また、収納家具Ｆの前後寸法は、前記植物栽培装置ｐの前後寸法よりも大きくなっている（図３）。
【００２７】
図示の例では、前記植物栽培装置ｐは、前記中央部１２の棚板１２ａに、その背面ｐｅとこの棚板１２ａの後端との間に間隔を開けた状態で、載置されてこの中央部１２の前記棚板１２ａ上の空間内に納められるようになっている（図３）。このように納められる植物栽培装置ｐの前記開放部ｐｄは、前記第二水平面ｙ２上に位置されるようになっている。また、かかる植物栽培装置ｐの吸気部ｐｂは前記左部１３の第一空間１３ｃ内に位置され、また、排気部ｐｃは前記右部１４の第一空間１４ｃ内に位置されるようになっている。すなわち、図示の例では、かかる中央部１２の棚板１２ａが前記載置棚部１として機能するようになっている。
【００２８】
前記家具正面を構成する前板３は、複数の前板構成体からなる。また、図示の例では各前板構成体は、扉板３ｂ、３ｄ、３ｅとなっている。
【００２９】
具体的には、（１）前記中央部１２の前記第二水平面ｙ２よりも下方は、観音開きとなる左右の扉板３ｂ、３ｂにより閉塞されるようになっている。
（２）前記中央部１２の前記第二水平面ｙ２よりも上方は、開放部３ｃとなっている。この開放部３ｃは、前記植物栽培装置ｐの開放部ｐｄを閉塞する扉板ｐｊと実質的に同じ大きさを備えており、前記載置棚部１上に載置される植物栽培装置ｐの扉板ｐｊによって閉塞されるようになっている。すなわち、図示の例では、収納家具内への前記植物栽培装置ｐの設置状態において、この植物栽培装置ｐの扉板ｐｊが収納家具Ｆの家具正面の一部を構成するようになっている。
（３）前記左部１３の前記第二水平面ｙ２の上方及び下方はそれぞれ、左側に開かれる片開きの扉板３ｄにより閉塞されるようになっている。
（４）前記右部１４の前記第二水平面ｙ２の上方及び下方はそれぞれ、右側に開かれる片開きの扉板３ｅにより閉塞されるようになっている。
なお、図１中、符号３ｆで示すのは、上記各扉板３ｂ、３ｄ、３ｅの回動中心を形成するヒンジ部材である。
【００３０】
一方、図示の例では、家具背面は隙間なく背板７により閉塞されている。収納家具Ｆは、典型的には、家具背面を室内の壁面Ｗに密着させる態様で設置される（図３）。
【００３１】
そして、この実施の形態にあっては、前記底板４下には台輪１５が備えられている。それと共に、前記家具正面を構成する前板３、図示の例では、閉じ位置にある前記各扉板３ｂ、３ｄ、３ｅの下端と、家具底部を構成する前記底板４の前縁との間に、通気隙間８が形成されている。図示の例では、前記底板４の前縁は、前記台輪１５の前面１５ａより前方に位置され、かつ、前記前板３の下縁３ａと実質的に同じレベルに位置されている。これにより、収納家具Ｆの左右方向に亘って前記通気隙間８が形成されている。なお、かかる通気隙間８は、家具底部と床面との間に間隔が形成されれば形成可能であり、前記台輪１５に代わる脚体やアジャスト金物などによっても形成可能である（図３）。
【００３２】
また、図示の例では、前記左部１３の棚板１３ａにおける第一空間１３ｃに面した箇所に、円形の吸気貫通穴９が形成されている。すなわち、図示の例では、かかる左部１３の棚板１３ａが前記吸気貫通穴９を備えた家具構成材となっている。
【００３３】
また、前記右部１４の棚板１４ａにおける第一空間１４ｃに面した箇所であって家具の背面側に、円形の排気貫通穴１０が形成されている。すなわち、図示の例では、かかる右部１４の棚板１４ａが前記排気貫通穴１０を備えた家具構成材となっている。そして、図示の例では、この排気貫通穴１０内に前記ファン手段を構成するファン１１が配置されている。かかるファン１１は図示しない電源手段からの電力の供給により連続的あるいは所定時間をおいて間欠的に駆動するようになっている。
【００３４】
前記植物栽培装置ｐにおいて植物の育成に必要とされる通気は前記通気隙間８と吸気貫通穴９及び排気貫通穴１０によって確保される。図示の例では、前記ファン１１の駆動により、前記右側垂直面ｘ２の右側において植物栽培装置ｐ内の空気を引き出す流れが生じ引き出されたかかる空気は右部１４の棚板１４ａ下の空間を通じておおむね右側垂直面ｘ２の右側において前記通気隙間８から家具外に送り出される。それと共に、おおむね前記左側垂直面ｘ１の左側において通気隙間８と吸気貫通穴９とを通じて外気が植物栽培装置ｐ内に引き込まれる。なお、図示の例では、前記中央部１２の棚板１２ａの右側であって植物栽培装置ｐの背面ｐｅの後方となる箇所に、左右方向に長い長穴状をなす通気貫通穴１６が前後に隣り合って二条、互いに平行をなすように形成されている。前記ファン１１の駆動によりこの二条の通気貫通穴１６、１６直下の通気隙間８からも家具内に外気が引き込まれる。この外気は植物栽培装置ｐから排気される空気と一緒になって右部１４の棚板１４ａ下の空間に送り込まれる。図示の例では、右部１４の棚板１４ａ下の空間に前記ポンプユニットＵが納められており、前記外気はこのポンプユニットＵの冷却に寄与する。また、前記通気隙間８は、収納装置の家具正面からは視認されない。これにより、かかる収納家具Ｆは高い外観性をもって前記植物栽培装置ｐを収納するものとなる。すなわち、かかる収納家具Ｆにより前記植物栽培装置ｐをリビングなどに室内の美観を損なうことなく、適切に設置させることが可能となる。また、収納家具Ｆ内には、前記ポンプユニットＵなど植物栽培に必要な機器、道具などを一緒に収納可能である。また、前記通気隙間８は、収納家具Ｆの家具底部に確保されることから、家具天部上に他の家具や什器などを支障なく設置可能である。
【００３５】
なお、以上に説明した例では、収納家具Ｆにファン手段を備えさせているが、植物栽培装置ｐが、前記吸気部ｐｂ及び排気部ｐｃにファンを備えている場合には、前記ファン手段を備えさせずに収納家具Ｆを構成しても構わない。
【００３６】
図示は省略するが、前記吸気貫通穴９を通過する空気を濾過するエアフィルターを前記吸気貫通穴９に内蔵させておいても良い。このようにした場合、家具外の塵芥ないし塵埃が植物栽培装置ｐ内に入り込まないようにすることができる。
【００３７】
図６中、符号１７で示す前記右部１４の棚板１４ａにおける第一空間１４ｃに面した箇所に設けた穴は、前記ポンプユニットＵによる水や液肥供給用の管を通過させるためのものであり、また、符号１８で示した穴は配線用のものである。
【００３８】
また、前記各扉板３ｂ、３ｄ、３ｅは、閉じ位置において、公知のパッキン材によって虫などの通過を阻止する態様で前記中央部１２、左部１３、および右部１４を閉塞するようにしておくことが好ましい。
【００３９】
なお、当然のことながら、本発明は以上に説明した実施態様に限定されるものではなく、本発明の目的を達成し得るすべての実施態様を含むものである。
【符号の説明】
【００４０】
ｐ  植物栽培装置
ｐｂ  吸気部
ｐｃ  排気部
１  載置棚部
３  前板
３ａ  下縁
４  底板
８  通気隙間
９  吸気貫通穴
１０  排気貫通穴
【図１】
2016042828.tif 000003
【図２】
2016042828.tif 000004
【図３】
2016042828.tif 000005
【図４】
2016042828.tif 000006
【図５】
2016042828.tif 000007
【図６】
2016042828.tif 000008
【図７】
2016042828.tif 000009